(57)【要約】      （修正有）【課題】  従来の釣竿で、釣時に元竿のリール固定部のゆるみやがたつきをなくすリールシートを提供する。また、釣竿の固定リールシートで釣人が使用に不便がないように上下・左右と移動して任意の位置に固定するスライド式パイプシートを提供する。さらに、竿の伸縮に無理に力を入れて、収納時に手を挟んだり、竿を傷めたりすることがないように竿の継ぎ部にゴムパッキン、螺子を利用した安全な釣竿を提供する。【解決手段】  釣竿１で元竿２の固定パイプシート３のフック付スライド式フード４のゴム板８を圧着してリール台足５を密着固定する。また、スライド式パイプシート１６をスクリューナット１７の調整で元竿２上を上下・左右に移動して任意の位置に固定させることができる。さらに、釣竿１の継ぎ部の口金にゴムパッキン２３を設けてスクリューナット２４で固着する。また、螺子部２９を設けて竿１を回して固着する。【選択図】図６
2005328826.tif 000002
【特許請求の範囲】
【請求項１】
魚釣りに用いる釣竿で、元竿の固定パイプシートの上に固定フードとフック付スライド式フードの中にゴム板を取り付け、ツマミの回転によりシート面にゴムを圧着させ、リールの台足を固定する装置を備えた釣竿。また、フードの中に充てゴムを設置し、リールの台足を完全に固定するようにした。
【請求項２】
前記の元竿で、パイプシートを元竿に固定せず、シートの両端に螺子部とスクリューナットを設置して、スクリューナットとシートの間にゴムパッキンを設置する。スクリューナットの回転によりゴムを圧着させ、シートを元竿に固着させる。従って、スクリューナットの調整によってパイプシートが元竿上を左右・上下と移動可能で任意の位置にシートを固定できる釣竿。
【請求項３】
釣竿で、振出タイプ・並継ぎタイプの継ぎ部にスクリューナットと口金部に螺子部を設け、そこにゴムパッキンを設置する。スクリューナットの回転によりゴムが圧着され、継ぎ部が固着し安定する。また、印籠継ぎタイプは、継ぎ部に螺子部を設置し、竿を回して継ぎ部を締めて固着させる。
【発明の詳細な説明】
【発明の詳細な説明】
【技術分野】
【０００１】  本発明は、魚釣りに用いる釣竿で、元竿の固定パイプシートの上に固定フードとフック付スライド式フードの中にゴム板を取り付け、ツマミの回転によりシート面にゴムを圧着させ、リールの台足を固定する。また、このフードの中に充てゴムを設置して、リールの台足をゆるみやがたつきのないよう、完全に固定できるようにしたものである。また、このパイプシートを元竿に固定せず、シートの両端に螺子部とスクリューナットを設置して、スクリューナットとシートの間にゴムパッキンを設置し、スクリューナットの回転によりゴムを圧着させ、シートを元竿に固着させる。従って、スクリューナットの調整によってパイプシートが元竿上を左右・上下と移動することができる。この釣竿により、身体状態や魚釣場の状況・対象魚に応じて対応できるようにしたものである。さらに、本発明は、釣竿で振出タイプ・並継ぎタイプの継ぎ部にスクリューナットと口金に螺子部を設け、そこにゴムパッキンを設置する。スクリューナットの回転によりゴムを圧着させ、継ぎ部が固着し安定する。また、印籠継ぎタイプは継ぎ部に螺子部を設置し、竿を回して継ぎ部を締め、固着する。このような方法で継ぎ部を固着することにより、魚釣り時に竿が不意に縮んでしまったり、収納時に手を挟んだり、竿を傷めたりすることがないように、安全で楽しく魚釣りができるようにした釣竿である。
【背景技術】
【０００２】  従来は、魚釣りに用いる釣竿で、元竿のシートとリールの接続は押し上げタイプとスクリュータイプで、投入時や取り込み時にゆるみやがたつきが生じ、再度締め直さなければならなかった。また、元竿のシートは固定されたプレートシート・パイプシートにより、使用者の身体状態や魚釣場の状況において不便な面があった。さらに、釣竿で釣時の仕掛けの投入や取り込み中に竿が不意に縮んでしまったり、竿の伸縮に無理に力を入れて、収納時に手を挟んだり、竿を傷めたりすることが多かった。
【発明が解決しようとする課題】
【０００３】  従来の釣竿には、対象魚や釣場に応じた釣り方にあわせた、多種多様の釣竿がある。また、それに対応する多種多様なリールがある。釣人は釣り条件に合う釣竿・リールを選定するが、元竿のシートとリールの接続部において完全に固定できるものは希少であり、使用中、ゆるみやがたつきが生ずるため、再度、固定し直さなければならなかった。
【０００４】  元竿のシートとリールの接続は、固定されたプレートシートとパイプシートに押し上げタイプとスクリュータイプと多種多様の中から釣竿を選び、多種多様の中からリールを選んで元竿のシートにリールの台足を固定する。また、釣人は固定されたリールの釣竿に対し、身体状態・釣場の状況にあわさなければならない。使用方法についても同様である。釣竿で、釣時の仕掛けの投入後や取り込み中に竿が不意に縮んでしまったり、竿の伸縮に無理に力を入れて、収納時に手を挟んだり、竿を傷めたりすることがあり、口金の継ぎ部に問題があった。
【課題を解決するための手段】
【０００５】  前記の課題を解決するため、発明１に係わる釣竿は魚釣りに用いるものである。元竿の固定パイプシートの上に固定フードとフック付スライド式フードの中にゴム板を取り付け、ツマミの回転によりシート面にゴムを圧着させ、リールの台足を固定する。この固定方法により台足とフードは密着して固定する。また、フードの中にリール台足を完全に固定させるために充てゴムを設置することにより、どの機種のリールにも対応することができる。
【０００６】  発明２に係わる釣竿は、パイプシートを元竿に固定せず、シートの両端に螺子部とスクリューナットを設置して、スクリューナットとシートの間にゴムパッキンを設置する。スクリューナットの回転によりゴムを圧着させ、シートを元竿に固着させることができる。従って、スクリューナットの調整によってパイプシートが元竿の上を左右・上下と移動可能となる。この釣竿により釣人は、身体状態・対象魚や釣場の状況に応じて任意の位置にリールシートを移動させて固定することができる。
【０００７】  本発明は、魚釣りの釣竿で振出タイプ・並継ぎタイプの継ぎ部にスクリューナットと口金部に螺子部を設置し、そこにゴムパッキンを設ける。スクリューナットの回転によりゴムを圧着させ、継ぎ部が固着し安定する。また、印籠継ぎタイプは継ぎ部に螺子部を設置し、竿を回して継ぎ部を締めて固着する。このような方法で継ぎ部を固着することにより、魚釣時に竿が不意に縮んでしまったり、竿の伸縮に無理に力を入れて、収納時に手を挟んだり、竿を傷めたりすることがないよう、安全で楽しく魚釣りができるようにした釣竿である。
【発明を実施するための最良の形態】
【０００８】  以下、本発明の実施の形態について図面に基づいて説明する。図１は、本発明の第１実施例で、釣竿１の元竿２に取り付ける固定パイプシート３の側面図である。図２は断面図、図３がフック付スライド式フード４の構造を示す詳細側面図、図４はその詳細断面図である。【０００９】  釣竿１の元竿２に固定パイプシート３をエポキシ樹脂系の接着剤で元竿２に固定する。リール台足５をパイプシート面６上の固定フード７とフック付スライド式フード４で固定する。フック付スライド式フード４の固定方法の構造は、ゴム板８を覆う金具９の上にワッシャー１０を設ける。フック付スライド式フード４とナット１１を合体させる。ツマミ１２は、ワッシャー１０をはめて螺子１３を切り押し潰して止める。また、射出成型されたリールシート３に一体となっている山形アングル１４にフック付スライド式フード４を引っ掛けて、ツマミ１２を回してゴム板８をシート面６に圧着し固定する。また、リール台足５をより完全に固着するために、固定フード７の中に充てゴム１５を設置し、フック付スライド式フード４の中にも充てゴム１５をつけることにより、どの機種のリールをも密着してゆるみやがたつくことなく固定することができる。ここでは基本的な詳細構造について説明を行った。なお、充てゴムについては形状を変えてリール台足５にフィットする形状にすればよい。【００１０】  発明の第２実施例は、図面５のスライド式パイプシート１６の側面図、その断面図６である。パイプシート１６をスライドさせるスクリューナット１７とスクリューネジ部１８の詳細構造の側面図７と断面図８、実施例については図９・図１０で示す通りである。
図面５で示すように、釣竿１の元竿２に固定パイプシート３を固定せずに、スライド式にしてパイプシート１６の両端にスクリューネジ部１８を設けてスライド式パイプシート１６と元竿２の設置面を多くして隙間を詰める形状のゴムパッキン１９を設置する。このようにして、スクリューナット１７の回転によりゴムパッキン１９の圧着によってスライド式パイプシート１６を元竿２に固着させることができる。従って、スクリューナット１７の調整によってスライド式パイプシート１６は元竿２上を左右・上下に移動することができる。また、このスライド式パイプシート１６は、元竿２で端部のエンドキャップ２０を外して清掃もできる。【００１１】  第３実施例の発明についての図面は、振出タイプ・並継ぎタイプの継ぎ部は詳細側面図１１、詳細構造断面図１２である。別形案として、振出タイプ・並継ぎタイプの継ぎ部は詳細側面図１３、詳細構造断面図１４で示す通りである。
振出タイプと並継ぎタイプの釣竿１で口金や口金ガイド２１の前にスクリューネジ２２を設置して設置面を多くして隙間を詰める形状のゴムパッキン２３を設置する。ゴムパッキン２３はスクリューナット２４を回転させることによって竿１に圧着され継ぎ部は固着し安定する。また、別形案として図１３・１４に示すように口金側にスクリューネジ２５を設置して、そのスクリューネジ２５側に引っ掛けるようにして設置面を多くして隙間を詰めるタイプのゴムパッキン２６を設けてスクリューナット２７を配置した構造である。これは、このゴムパッキン２６がねじられることを防止するためである。
次に、印籠継ぎタイプの継ぎ部詳細側面図１５、詳細断面図１６で示すように元竿２の口金部２８に螺子部２９を設けて、穂先側の口金側にナット部３０を設置する。また、竿１を回しながら継ぎ部を締めて固着するとき、穂先より順にガイド２１がまっすぐ一列に並ぶように締める。このときゴムパッキン３１が密着するため、螺子部２９の根元まできっちり締めなくても、安定した継ぎ部となる。
【発明の効果】
【００１２】  発明を以上のように説明した構造で使用すると、釣竿の元竿に設置する固定パイプシート上のフック付きスライド式フードのゴム板による圧着と両端フードの充てゴムにより、どの機種のリールでも密着してゆるみやがたつきなしに固定することができる。また、元竿のスライド式パイプシートの両端に螺子部を設けて設置面を多くして隙間を詰める形状のゴムパッキンにより、スクリューナットの調整で元竿上を左右・上下に移動することができる。このことにより身体状態や魚釣場・対象魚に応じて対処することが容易にできる。さらに、元竿の端部のエンドキャップを外してスライド式パイプシートの清掃もできる。釣竿の各継ぎ部において、振出タイプ・並継ぎタイプには、口金部に螺子部を設けて接着面を多くして隙間を詰める形状か、螺子部に引っ掛けることのできるゴムパッキンを設けてスクリューナットで固着させる。また、印籠継ぎタイプは口金部の元竿側に螺子部、穂先側にナット部と充てゴムパッキンを設けて竿を回して固着する。このような方法で継ぎ部を固着させることにより、魚釣時に竿が不意に縮んでしまったり、竿の伸縮に無理に力を入れて、収納時に手を挟んだり、竿を傷めたりことがないようにしたものである。
【図面の簡単な説明】
【００１３】
【図１】  固定パイプシートの側面図
【図２】  固定パイプシートの断面図
【図３】  フック付きスライド式フードの詳細構造側面図
【図４】  フック付きスライド式フードの詳細構造断面図
【図５】  スライド式パイプシートの側面図
【図６】  スライド式パイプシートの断面図
【図７】  スクリューナットとネジ部の詳細構造側面図
【図８】  スクリューナットとネジ部の詳細構造断面図
【図９】  スライド式パイプシートの左右移動の実施例図
【図１０】  スライド式パイプシートの左右・上下移動の実施例図
【図１１】  振出・並継ぎタイプの継ぎ部の詳細構造側面図
【図１２】  振出・並継ぎタイプの継ぎ部の詳細構造断面図
【図１３】  （別案）振出・並継ぎタイプの継ぎ部の詳細構造側面図
【図１４】  （別案）振出・並継ぎタイプの継ぎ部の詳細構造断面図
【図１５】  印籠継ぎタイプの継ぎ部の詳細構造側面図
【図１６】  印籠継ぎタイプの継ぎ部の詳細構造断面図
【符号の説明】
【００１４】１．釣竿
２．元竿
３．固定パイプシート
４．フック付スライド式フード
５．リール台足
６．パイプシート面
７．固定フード
８．ゴム板
９．覆う金具
１０．ワッシャー
１１．ナット
１２．ツマミ
１３．螺子
１４．山形アングル
１５．充てゴム
１６．スライド式パイプシート
１７．スクリューナット
１８．スクリューネジ部
１９．ゴムパッキン（接地面を多くして隙間を詰める形状）
２０．エンドキャップ
２１．口金ガイド
２２．スクリューネジ
２３．ゴムパッキン（接地面を多くして隙間を詰める形状）
２４．スクリューナッと
２５．スクリューネジ
２６．ゴムパッキン（接地面を多くして隙間を詰める形状）
２７．スクリューナット
２８．口金
２９．螺子部
３０．ナット（口金部）
３１．ゴムパッキン
【図１】
2005328826.tif 000003
【図２】
2005328826.tif 000004
【図３】
2005328826.tif 000005
【図４】
2005328826.tif 000006
【図５】
2005328826.tif 000007
【図６】
2005328826.tif 000008
【図７】
2005328826.tif 000009
【図８】
2005328826.tif 000010
【図９】
2005328826.tif 000011
【図１０】
2005328826.tif 000012
【図１１】
2005328826.tif 000013
【図１２】
2005328826.tif 000014
【図１３】
2005328826.tif 000015
【図１４】
2005328826.tif 000016
【図１５】
2005328826.tif 000017
【図１６】
2005328826.tif 000018